(57)【要約】【課題】ファン等の強制換気装置を使用することなく、室外の風をより多く室内に取り込むことができる換気フード。【解決手段】  室を画成するするように立設された面状構造物１０に設けられた開口の室外側に取り付けられる換気フードである。面状構造物１０の開口を覆い、下面を主通気口３０として開放したプロテクター部材２と、プロテクター部材２の面状構造物１０への取付け枠３とからなる。プロテクター部材は、上端に取付け枠３への固定部２１ａを備え、該上端固定部２１ａから前方斜め下方に伸延して面状構造物１０の開口の前方を覆う正面板２１と、後端に取付け枠３への固定部２２ａを備え、前記正面板２１により覆われた空間の左右両側を覆う側面板２２とからなる。主通気口３０には、面状構造物１０の面Ｐに対する鉛直方向且つ縦方向に配向され、プロテクター部材の正面板２１及び左右の側面板２２の下端２１ｂ，２２ｂよりも下方に突出した捕風板２５が取り付けられている。【選択図】  図１
2010236823.tif 000002
【特許請求の範囲】
【請求項１】
室を画成するするように立設された面状構造物１０に設けられた開口の室外側に取り付けられる換気フードであり、
前記面状構造物１０の開口を覆い、下面を主通気口３０として開放したプロテクター部材２と、プロテクター部材２の面状構造物１０への取付け枠３とを有し、
該プロテクター部材は、上端に取付け枠３への固定部２１ａを備え、該上端固定部２１ａから前方斜め下方に伸延して面状構造物１０の開口の前方を覆う正面板２１と、後端に取付け枠３への固定部２２ａを備え、前記正面板２１により覆われた空間の左右両側を覆う側面板２２とからなり、
主通気口３０には、面状構造物１０の面Ｐに対する鉛直方向且つ縦方向に配向され、プロテクター部材の正面板２１及び左右の側面板２２の下端２１ｂ，２２ｂよりも下方に突出した捕風板２５が取り付けられていることを特徴とする。
【請求項２】
前記捕風板25は、前記左右の側面板22間の略中央に取り付けられていることを特徴とする請求項１に記載の換気フード。
【請求項３】
前記捕風板25は、前記略中央の捕風板251の両側の側方にも取り付けられており、該側方の捕風板252は前記略中央の集風板251よりも下方への突出量が小さく、且つ、より側方にある捕風板ほど突出量が小さくされていることを特徴とする請求項２に記載の換気フード。
【請求項４】
前記プロテクター部材2の前記主通気口30には、前記捕風板25の内側に、所定以上の大きさの物体の侵入を遮断しつつ、空気の流入・排出を導く第1のグリル部材32が前記主通気口30を横断するように設けられていることを特徴とする請求項１乃至３のいずれか一項に記載の換気フード。
【請求項５】
前記第1のグリル部材32の内側には、粒子の細かい埃、砂塵、又は煙などの侵入を防ぐフィルター部材34が設けられていることを特徴とする請求項４に記載の換気フード。
【請求項６】
前記プロテクター部材2の前記側面板22に側面通気口36を設け、該側面通気口36内には、所定以上の大きさの物体の侵入を阻止しつつ、空気の流入・排出を許容する第２のグリル部材38が前記側面通気口36を横断するように設けられていることを特徴とする請求項１乃至４のいずれか一項に記載の換気フード。
【請求項７】
前記側面通気口36は前記側面板22を貫通する管360により構成され、該管360は、外端360aが前記側面板22によって支持され、内端360bは換気フード1内で開口していることを特徴とする請求項６に記載の換気フード。
【請求項８】
前記管360は、前記外端360a側の管部材と、前記内端360b側の管部材とにより構成されており、前記内端360b側の管部材は前記外端360a側の管部材に対して回転可能に結合されていることを特徴とする請求項６に記載の換気フード。
【請求項９】
前記内端360b側の管部材は、中間部がＬ字状に曲げられていることを特徴とする請求項６に記載の換気フード。
【発明の詳細な説明】
【技術分野】
【０００１】
本発明は、人や物の出入り可能な室を画成するように立設された壁、ドア等の面状構造物に設けられた開口に取り付けられる換気フードに関するものである。
【背景技術】
【０００２】
従来、建物の窓を開けることなく室内外の空気の自然な流通を可能にする換気具の一例として、図１３に示すような網戸付き窓1００が知られている。この網戸付き窓1００は、引き違いサッシ２００における内側窓２００ａの下部に設けられている。引き違いサッシ２００は、内側窓２００ａと外側窓２００ｂとを備えており、クレセント錠３００で施錠できるようになっている(特許文献１参照)。
【０００３】
網戸付き窓1００は、室内側に窓枠４００が設けられており、その窓枠４００に沿って障子５００が取り付けられている。障子５００は、その下端部に沿って回動自在に支持されており、摘み６００を持って傾動させることで開閉が自在に構成されている。
【０００４】
また、障子５００の外側には、図示しない網戸が配設されており、障子５００を開放することにより、サッシを閉じて施錠した状態でも、室内の換気をすることができるようになっている。
【先行技術文献】
【特許文献】
【０００５】
【特許文献１】特開２００３―９０１８８号公報
【発明の概要】
【発明が解決しようとする課題】
【０００６】
しかしながら、この従来例における網戸付き窓１００は、窓が設けられた建物の面に対して直交方向或いは傾斜方向からの空気の流れのあるときは、室内への外気の流入が行なわれるものの、建物の面に対して平行な空気の流れを捉えて室内へ流入させることはできない。また、網戸により、換気と虫の侵入は防止できるものの、粒子の細かいホコリなどが侵入し、雨天の時には雨水の吹き込みを防ぐことができない。
【課題を解決するための手段】
【０００７】
本発明に係る換気フード１は、室を画成するするように立設された面状構造物１０に設けられた開口の室外側に取り付けられる換気フードである。面状構造物１０の開口を覆い、下面を主通気口３０として開放したプロテクター部材２と、プロテクター部材２の面状構造物１０への取付け枠３とからなる。該プロテクター部材は、上端に取付け枠３への固定部２１ａを備え、該上端固定部２１ａから前方斜め下方に伸延して面状構造物１０の開口の前方を覆う正面板２１と、後端に取付け枠３への固定部２２ａを備え、前記正面板２１により覆われた空間の左右両側を覆う側面板２２とからなる。主通気口３０には、面状構造物１０の面Ｐに対する鉛直方向且つ縦方向に配向され、プロテクター部材の正面板２１及び左右の側面板２２の下端２１ｂ，２２ｂよりも下方に突出した捕風板２５が取り付けられている。
【発明の効果】
【０００８】
本発明の上記構成によれば、ファン等の強制換気装置を使用することなく、室外の自然に流れる空気をより多く室内に取り込むことができる
【０００９】
更に、ホコリ、砂塵等の侵入や雨水の吹き込みを防ぐことことができる
【図面の簡単な説明】
【００１０】
【図１】内部構造を破線で示した換気フードの斜視図である。
【図２】正面からの視点での換気フードの縦断面図である。
【図３】図１の換気フードを建物のガラス窓に取付けた例１を示す斜視図である。
【図４】図３の取付け例における、換気フードを取付ける開口を窓枠の内側に有する窓の室外側からの斜視図である。
【図５】図１の換気フードの、プロテクター部材、ルーバー部材及び網戸部材を分離して示す斜視図である。
【図６】図１の換気フードのフィルター部材を示す斜視図である。
【図７】図３の取付け例における換気フードの蓋部材を示す斜視図である。
【図８】図１の換気フードを建物のガラス窓に取付けた例２を示す正面図である。
【図９】図１の換気フードを建物のガラス窓に取付けた例３を示す正面図である。
【図１０】図１の換気フードを自動車のウインドウに取付けた例を示す斜視図である。
【図１１】図１の換気フードをバスの窓に取付けた例を示す斜視図である。
【図１２】換気フードを建物の壁の換気孔に取付けた例を示す、図２のXII-XII線断面図である。
【図１３】図１３は、従来例の網戸付き窓を示す正面図である。
【発明を実施するための形態】
【００１１】
より多くの外気の室内への取り込みを極めて簡単な構造的改良により実現した。
【実施例】
【００１２】
図１及び図２は、実施例に係る換気フードの、それぞれ、内部構造を破線で示した換気フードの斜視図と縦断面図である。
【００１３】
換気フード１は、室を画成する立設された壁、ドア、窓ガラス等の面状構造物１０に形成された開口の室外側を覆うように取り付けて使用され、本体であるプロテクター部材２と面状構造物１０への取付け枠３とから構成される。プロテクター部材２は、室内への雨水の吹き込みや虫などの侵入を防ぐ。プロテクター部材２は、面状構造物１０の開口の前方を覆う正面板２１と、この正面板２１で覆われた空間の左右両側方を覆う側面板２２とを有する。取付け枠３の内周縁は、面状構造物１０の開口と向かい合った開口３ａを画成している。
【００１４】
プロテクター部材２の正面板２１と側面板２２で囲まれる空間の下面は、主通気口３０として開放されている。この主通気口３０には、面状構造物１０の面Ｐに対する鉛直方向且つ縦方向に配向された複数の捕風板２５が取り付けられている。縦方向、即ち上下方向への配向は垂直面に対して傾きをもたせてもよい。捕風板２５はいずれも、その下端２５ａがプロテクター部材２の正面板２１及び側面板２２の下端２１ａ、２２ａよりも下方に突出させてある。捕風板２５の下端２５ａの突出量は、プロテクター部材２の下を通流する風を遮ってその一部をプロテクター部材２内に取り込むことができる量だけ突出していればよい。
【００１５】
正面板２１は上端に取付け枠３への固定部２１ａを備え、側面板２２は後端に取付け枠３への固定部２２ａを備える。プロテクター部材２はこれらの固定部２１ａ、２２ａを取付け枠３に当接してビス、接着材、接着テープなどを用いて固定される。また。取付け枠３も、ビス、接着材、接着テープなどを用いて面状構造物１０に取付けられる。
【００１６】
捕風板２５は、左右の側面部２２間の略中央に取り付けられている捕風板２５１が下方への突出量が大きく、その側方に取り付けられている捕風板２５２は中央の捕風板２５１よりも突出量が小さく、且つ、更に側方にある捕風板２５３ほど突出量が小さくされている。これにより、各捕風板２５１、２５２、２５３のそれぞれが、プロテクター部材２の下を通流する風を効率良く換気フード１内に取り込むことができる。
【００１７】
また、捕風板２５は一つだけ取り付けてもよく、その場合、捕風板２５１は両側面板２２間の略中央に取り付けられる。この場合でも、プロテクター部材２の下を通流する風は、左右いずれの方向から流れてきても、中央の捕風板２５１により換気フード１内に取り込まれる。
【００１８】
プロテクター部材２の主通気口３０には、捕風板２５の内側に、第１のグリル部材３２が主通気口３０を横断するように取り付けられている。第１のグリル部材３２は、同グリル部材の網目、グリッド又は格子の寸法によって設定される所定以上の大きさの物体や、虫などの生き物が換気フード１内へ侵入することを防止しつつ、空気の流入・排出を許容する役割を果たす。また、第１のグリル部材３２の更に内側には、粒子の細かい埃、砂塵、又は煙などが換気フード１内へ侵入することを阻止するフィルター部材３４が重なるように設けられている。
【００１９】
プロテクター部材２は、材質を耐衝撃性及び耐熱性に優れるポリカーボネート製にすれば、衝撃を加えて破壊することが困難になり、防犯性を高くすることができるので望ましい。
【００２０】
また、プロテクター部材２は、全体的にスモーク加工を施して半透明にするのが望ましい。そのようにすると、室外から室内の透視を防ぐことができるとともに、太陽光線の直射を和らげることができる。また、本発明の換気フードを介して室外の空気が室内に入ると共に、半透明のプロテクター部材２を介して室外の光が室内に入ることにより、室内での嫌気性バクテリアの繁殖を抑制して、カビによる異臭の発生を防ぐことができる。
【００２１】
換気フード１のプロテクター部材２の側面板２２には、側面通気口３６が設けられている。これにより、プロテクター部材２の側面板２２に向かって流れてくる風を換気フード１内に取り込むことができる。また、図１及び図２に示すように、側面板２２の縁部はプロテクター部材２の側方に突出させたヒレ状の突片２６により囲まれている。この突片２６は、側面板２２に向かって流れてくる風を突片２６により囲まれた部分に溜めて、確実に側面通気口３６に導く効果がある。
【００２２】
また、プロテクター部材２の側面通気口３６には、その内側に、第２のグリル部材３８が側面通気口３６を横断するように取り付けられている。これにより、室内への空気の流入・排出を許容する一方で、グリル部材の網目、グリッド又は格子の寸法によって設定される所定以上の大きさの物体や、虫などの生き物が換気フード１内へ侵入することを防止することができる。第２のグリル部材３８の更に内側には、粒子の細かい埃、砂塵、又は煙などが換気フード１内へ侵入することを阻止するフィルター部材３９が重なるように設けられている。
【００２３】
側面通気口３６は、側面板２２を貫通する管３６０の外端３６０ａの開口により構成されている。図２に示すように、管３６０は、外端３６０ａ側と内端３６０ｂ側とが別部材で構成され、外端３６０ａ側の管部材に対して内端３６０ｂ側の管部材が回転可能且つ取外し可能に構成されている。内端３６０ｂ側の管部材は中間部がＬ字状に曲げられている。これにより、側面通気口３６から風と共に雨水が吹き込んでも、内端３６０ｂの開口には至らないようにされている。
【００２４】
また、内端３６０ｂ側の管部材を回転することにより、室内への風の流入方向は容易に変更できる。内端３６０ｂの開口は、換気フード１内で、例えば、図示のように上方に向けられている。第２のグリル部材３８の内側に設けたフィルター部材３９は、内端３６０ｂ側の管部材を取外すことにより、室内側からの交換を容易に行なうことができる。
【００２５】
なお、プロテクター部材２の横幅寸法は、取り付ける開口の横幅寸法とほぼ同じでもよいが、より小さくてもよい。小さくする場合は、取付け枠３の左右の縦枠の横幅を、開口との隙間が覆われるまで幅広にする。
【００２６】
次に、図１及び図２の実施例に係る換気フード１の種々の取付け例を説明する。
【００２７】
（１）取付け例１  
図３〜図９は、実施例に係る換気フード１を建物の窓用換気フードとして使用する取付け例１を示す。
【００２８】
図３及び図４は、図１及び図２の換気フード１を、窓枠１２の内側に矩形の開口１０ａを有する建物の窓１３の室外側に、開口１０ａを覆うように設置した例を示している。  
【００２９】
図５に示すように、プロテクター部材２は、正面板２１と、この正面板２１の左右の側面板２２とを有する。正面板２１の横幅は、取り付けられる窓枠１２の横幅と略同一寸法であり、例えば、約２０〜１２０ｃｍ程である。ただし、取付け枠３の両側の縦枠の横幅や上下の横枠の縦幅を調節することにより、比較的小さなプロテクター部材２を多様な横幅や縦幅の窓枠１２に取り付けることが可能である。
【００３０】
プロテクター部材２の主通気口３０には、図１及び図２における第１のグリル部材を構成するル-バー部材１５が設けられている。このルーバー部材１５は、複数の羽板１５ａを所定の間隔で並列させて設けられており、羽板１５の向きをかえて通風量を加減できるように構成されている。複数の羽板１５ａの一部は、プロテクター部材２の正面板２１及び側面板２２の下端２１ａ、２２ａよりも下方に突出させてあり、図１及び図２における捕風板２５を構成している。
【００３１】
また、網戸部材１６は、矩形の枠部材１６ａと、この枠部材１６ａに張設される網材１６ｂとからなり、窓１３の開口１０ａと略同様な大きさに形成される。この網戸部材１６は、図１及び図２における取付け枠３に相当する取付け枠１７を介してプロテクター部材２の裏側に取り付けられる。
【００３２】
網戸部材１６の室内側には、必要に応じて、図６に示すようなフィルター部材１９を配設することが可能である。フィルター部材１９は、網戸部材１６と略同一の大きさで、取外し自在になっている。このフィルター部材１９によって、粒子の細かいホコリや砂塵等の室内への侵入を防止できる。また、更に、フィルター部材１９に防臭や防湿機能を備える材質のものを使用すれば、悪臭の流入を防いだり室内の湿度の上昇を抑えることができる。
【００３３】
また、網戸部材１６の室内側は、必要に応じて、図７に示すような蓋部材６０ａを設けることが可能である。蓋部材６０ａは、網戸部材１６と略同一の大きさの板状で、把手６０ｂを有し、取外し自在になっている。この蓋部材６０ａは、室内の換気の必要がないときや室外に騒音があるとき等に施蓋すればよい。
【００３４】
また、網戸部材１６の室内側は、必要に応じて、図示しない断熱材を配設することも可能である。断熱材は、網戸部材１６と略同一の大きさで、取外し自在にするとよい。斯かる断熱材は、外気の温度が低い冬季等などに冷気の室内への侵入を防ぐことができる。
【００３５】
図１及び図２の実施例に示された換気フード１は、以下の説明のように、建物の窓の窓枠に沿って左右方向或いは上下方向に移動可能な窓用換気フードとすることができる。
【００３６】
(２)取付け例２
図８は、横方向に引き違う窓１１３の外枠１４０に対して、左右方向に移動可能に設置した窓用換気フード１の取付け例２を示す。図には、換気フード１のプロテクター部材２は示されておらず、プロテクター部材２の取付け枠３のみが示されている。取付け枠３は窓１１３の外枠１４０の横枠内の溝１４１ａ,１４１ｂ内を左右方向に移動可能に設置されている。溝１４１ａ，１４１ｂはレールであってもよい。
【００３７】
（３）取付け例３
図９は、上下方向に引き違う窓２１３の外枠２４０に対して、上下右方向に移動可能に設置した窓用換気フード１の取付け例３を示す。図には、換気フード１のプロテクター部材２は示されておらず、プロテクター部材２の取付け枠３のみが示されている。取付け枠３は窓２１３の外枠２４０の縦枠内に溝２４２ａ,２４２ｂ内を上下方向に移動可能に設置されている。溝２４２ａ,２４２ｂはレールであってもよい。
【００３８】
図１及び図２の実施例に示された換気フード１は、以下の説明のように、自動車のウインドウに取り付けることもできる。この場合、捕風板の存在により、自動車の走行中はもとより、特に、夏の炎天下における駐車中の車内温度の上昇を抑えるのに大きな効果がある。
【００３９】
（４）取付け例４  
図１０は、換気フード１を乗用自動車のウインドウに取付けた例を示す。換気フード１は、自動車用サイドバイザーＳと同様、プロテクター部材２の取付け枠３を介して、乗用自動車の窓枠Ｄに、ドアガラスＧを少し下降させることによって生じる上部の開口を塞ぐように取り付けられる。
【００４０】
（５）取付け例５  
図１１は、換気フード１をバスの窓に取付けた例を示す。換気フード１は、車両の前後にある上部ウインドウに嵌め込まれたガラスＧに代えて、プロテクター部材２の取付け枠３をバスの窓枠Ｄに上部ウインドウの開口を塞ぐように取り付けられる。
【００４１】
（６）取付け例６  
図１及び図２の実施例に係る換気フード１は、図１２のように、倉庫などの建物の壁に設けられた換気孔に取り付けることもできる。
【００４２】
図１２において、換気フード１は、プロテクター部材２の取付け枠３を介して、壁１０の室外側の壁面Ｐに開口１０ａを覆うように取り付けられている。一方、壁１０の室内側には、蓋部材６０が、開口１０ａの上下に設けられたレール１０ｂに沿って移動可能に取付けられており、プロテクター部材２の裏側を施蓋することが可能になっている。蓋部材６０は、室内の換気が必要ないときに、開口１０ａを閉じるのに使用される。
【産業上の利用可能性】
【００４３】
本発明に係る換気フードは、自然な空気の流れをより多く室内に取り込むことができるため、建物の窓、自動車の窓、家、倉庫や工場などの換気孔等、広範な設置箇所での使用が可能である。
【符号の説明】
【００４４】
１                換気フード
２                プロテクター部材
３                取付け枠
１０              面状構造物
１０ａ            開口
２１              正面板
２１ａ            上端固定部
２２              側面板
２２ａ            後端固定部
２５              捕風板
３０              主通気口
３２              第１のグリル部材
３６              側面通気口
３８              第２のグリル部材
３４，３９        フィルター部材
Ｐ                面状構造物の面
【図１】
2010236823.tif 000003
【図２】
2010236823.tif 000004
【図３】
2010236823.tif 000005
【図４】
2010236823.tif 000006
【図５】
2010236823.tif 000007
【図６】
2010236823.tif 000008
【図７】
2010236823.tif 000009
【図８】
2010236823.tif 000010
【図９】
2010236823.tif 000011
【図１０】
2010236823.tif 000012
【図１１】
2010236823.tif 000013
【図１２】
2010236823.tif 000014
【図１３】
2010236823.tif 000015